(57)【要約】  セカンダリセル（ＳＣｅｌｌ）を制御する方法および装置を提供する。ユーザ機器のニューラジオキャリアアグリゲーションのＳＣｅｌｌを制御する方法は、ネットワークノードからダウンリック制御情報（ＤＣＩ）およびメディアアクセス制御（ＭＡＣ）制御要素（ＣＥ）のうちの少なくとも１つを受信することであって、前記ＤＣＩおよびＭＡＣ  ＣＥのうちの少なくとも１つはＳＣｅｌｌに対する制御を指示することを含み、前記方法は、前記ＤＣＩおよびＭＡＣ  ＣＥのうちの少なくとも１つを適用するか無視するかを決定することと、および前記決定に従ってＳＣｅｌｌを制御することとを含む。
2021505050.tif 000002
【特許請求の範囲】
【請求項１】
セカンダリセル（ＳＣｅｌｌ）を制御するユーザ機器であって、
メモリ、
トランシーバ、および
前記メモリと前記トランシーバに結合されたプロセッサを含み、
前記プロセッサは、
ネットワークノードからダウンリック制御情報（ＤＣＩ）およびメディアアクセス制御（ＭＡＣ）制御要素（ＣＥ）のうちの少なくとも１つを受信するように前記トランシーバを制御し、前記ＤＣＩおよびＭＡＣ  ＣＥのうちの少なくとも１つは、ＳＣｅｌｌに対する制御を指示し、
前記ＤＣＩおよびＭＡＣ  ＣＥのうちの少なくとも１つを適用するか無視するかを決定し、および
前記決定に従って前記ＳＣｅｌｌを制御するように構成される、前記セカンダリセル（ＳＣｅｌｌ）を制御するユーザ機器。
【請求項２】
前記トランシーバが前記ＤＣＩおよび前記ＭＡＣ  ＣＥを受信した場合、前記プロセッサは、前記ＤＣＩおよび前記ＭＡＣ  ＣＥのうちの１つを無視する、
請求項１に記載のセカンダリセル（ＳＣｅｌｌ）を制御するユーザ機器。
【請求項３】
前記プロセッサが、前記決定に従って前記ＳＣｅｌｌを制御することは、
前記プロセッサが、前記ＤＣＩおよび前記ＭＡＣ  ＣＥのうちの別の１つを適用して前記ＳＣｅｌｌを制御することを含む、
請求項２に記載のセカンダリセル（ＳＣｅｌｌ）を制御するユーザ機器。
【請求項４】
前記トランシーバが前記ＤＣＩを受信した場合、前記プロセッサが前記決定に従って前記ＳＣｅｌｌを制御することは、
前記プロセッサが、前記ＤＣＩを適用して前記ＳＣｅｌｌを制御することを含む、
請求項１に記載のセカンダリセル（ＳＣｅｌｌ）を制御するユーザ機器。
【請求項５】
前記トランシーバが前記ＭＡＣ  ＣＥおよび前記ＤＣＩを順次に受信し、且つ前記ＭＡＣ  ＣＥおよび前記ＤＣＩの両方とも適用されると決定した場合、前記プロセッサが、前記決定に従って前記ＳＣｅｌｌを制御することは、
前記プロセッサが、前記ＭＡＣ  ＣＥおよび前記ＤＣＩを順次に適用して前記ＳＣｅｌｌを制御することを含む、
請求項１に記載のセカンダリセル（ＳＣｅｌｌ）を制御するユーザ機器。
【請求項６】
前記トランシーバは、無線リソース制御（ＲＲＣ）メッセージを受信するように構成され、前記メッセージは、前記ＤＣＩおよび前記ＭＡＣ  ＣＥのうちの１つが前記ＳＣｅｌｌを制御するためにプロセッサにより適用されることを指示する、
請求項１ないし５のいずれか一項に記載のセカンダリセル（ＳＣｅｌｌ）を制御するユーザ機器。
【請求項７】
前記ＤＣＩおよびＭＡＣ  ＣＥのうちの少なくとも１つが、前記ＳＣｅｌｌに対する制御を指示することは、前記ＤＣＩおよびＭＡＣ  ＣＥのうちの少なくとも１つが、前記ＳＣｅｌｌに対する活性化または非活性化を指示することを含む、
請求項１ないし６のいずれか一項に記載のセカンダリセル（ＳＣｅｌｌ）を制御するユーザ機器。
【請求項８】
前記プロセッサは、前記ＳＣｅｌｌを活性化または非活性化するように構成される、
請求項７に記載のセカンダリセル（ＳＣｅｌｌ）を制御するユーザ機器。
【請求項９】
ユーザ機器のセカンダリセル（ＳＣｅｌｌ）を制御する方法であって、
ネットワークノードからダウンリック制御情報（ＤＣＩ）およびメディアアクセス制御（ＭＡＣ）制御要素（ＣＥ）のうちの少なくとも１つを受信することであって、前記ＤＣＩおよびＭＡＣ  ＣＥのうちの少なくとも１つはＳＣｅｌｌに対する制御を指示することと、
前記ＤＣＩおよびＭＡＣ  ＣＥのうちの少なくとも１つを適用するか無視するかを決定することと、および
前記決定に従って前記ＳＣｅｌｌを制御することとを含む、前記ユーザ機器のセカンダリセル（ＳＣｅｌｌ）を制御する方法。
【請求項１０】
前記ＤＣＩおよび前記ＭＡＣ  ＣＥを受信し、および前記ＤＣＩおよび前記ＭＡＣ  ＣＥのうちの１つを無視することをさらに含む、
請求項９に記載のユーザ機器のセカンダリセル（ＳＣｅｌｌ）を制御する方法。
【請求項１１】
前記決定に従って前記ＳＣｅｌｌを制御することは、
前記ＤＣＩおよび前記ＭＡＣ  ＣＥのうちの別の１つを適用して前記ＳＣｅｌｌを制御することを含む、
請求項１０に記載のユーザ機器のセカンダリセル（ＳＣｅｌｌ）を制御する方法。
【請求項１２】
前記ＤＣＩを受信した場合、前記決定に従って前記ＳＣｅｌｌを制御することは、
前記ＤＣＩを適用して前記ＳＣｅｌｌを制御することを含む、
請求項９に記載のユーザ機器のセカンダリセル（ＳＣｅｌｌ）を制御する方法。
【請求項１３】
前記ＭＡＣ  ＣＥおよび前記ＤＣＩを順次に受信し、且つ前記ＭＡＣ  ＣＥおよび前記ＤＣＩの両方とも適用されると決定した場合、前記決定に従って前記ＳＣｅｌｌを制御することは、
前記ＭＡＣ  ＣＥおよび前記ＤＣＩを順次に適用して前記ＳＣｅｌｌを制御することを含む、
請求項９に記載のユーザ機器のセカンダリセル（ＳＣｅｌｌ）を制御する方法。
【請求項１４】
無線リソース制御（ＲＲＣ）メッセージを受信することをさらに含み、前記メッセージは、前記ＤＣＩおよび前記ＭＡＣ  ＣＥのうちの１つが前記ＳＣｅｌｌを制御するために適用されることを指示する、
請求項９ないし１３のいずれか一項に記載のユーザ機器のセカンダリセル（ＳＣｅｌｌ）を制御する方法。
【請求項１５】
前記ＤＣＩおよびＭＡＣ  ＣＥのうちの少なくとも１つが前記ＳＣｅｌｌに対する制御を指示することは、
前記ＤＣＩおよびＭＡＣ  ＣＥのうちの少なくとも１つが、前記ＳＣｅｌｌに対する活性化または非活性化を指示することを含む、
請求項９ないし１４のいずれか一項に記載のユーザ機器のセカンダリセル（ＳＣｅｌｌ）を制御する方法。
【請求項１６】
前記ＳＣｅｌｌを活性化または非活性化することをさらに含む、
請求項１５に記載のユーザ機器のセカンダリセル（ＳＣｅｌｌ）を制御する方法。
【請求項１７】
セカンダリセル（ＳＣｅｌｌ）を制御するネットワークノードであって、
メモリ、
トランシーバ、および
前記メモリと前記トランシーバに結合されたプロセッサを含み、
前記プロセッサは、
ユーザ機器にダウンリック制御情報（ＤＣＩ）およびメディアアクセス制御（ＭＡＣ）制御要素（ＣＥ）のうちの１つを送信するように前記トランシーバを制御し、送信される前記ＤＣＩおよびＭＡＣ  ＣＥのうちの１つは、ＳＣｅｌｌに対する制御を指示し、および
前記ユーザ機器に前記ＤＣＩおよび前記ＭＡＣ  ＣＥのうちの別の１つを送信しないように前記トランシーバを制御するように構成される、前記セカンダリセル（ＳＣｅｌｌ）を制御するネットワークノード。
【請求項１８】
前記ユーザ機器に前記ＤＣＩおよび前記ＭＡＣ  ＣＥのうちの別の１つを送信しないように前記トランシーバを制御することは、
前記ＤＣＩおよびＭＡＣ  ＣＥのうちの１つを送信する時点から前記ＤＣＩおよびＭＡＣ  ＣＥのうちの１つが有効になる時点までの間で、前記ユーザ機器に前記ＤＣＩおよび前記ＭＡＣ  ＣＥのうちの別の１つを送信しないように前記トランシーバを制御することを含む、
請求項１７に記載のセカンダリセル（ＳＣｅｌｌ）を制御するネットワークノード。
【請求項１９】
前記プロセッサは、送信される前記ＤＣＩおよびＭＡＣ  ＣＥのうちの１つに従って前記ＳＣｅｌｌを制御するように構成される、
請求項１７または１８に記載のセカンダリセル（ＳＣｅｌｌ）を制御するネットワークノード。
【請求項２０】
前記プロセッサは、無線リソース制御（ＲＲＣ）メッセージを送信するように前記トランシーバを制御するように構成され、前記メッセージは、前記ＤＣＩおよび前記ＭＡＣ  ＣＥのうちの１つが前記ＳＣｅｌｌを制御するために適用されることを指示する、
請求項１７ないし１９のいずれか一項に記載のセカンダリセル（ＳＣｅｌｌ）を制御するネットワークノード。
【請求項２１】
前記トランシーバが前記ＤＣＩを送信する場合、前記プロセッサは、前記ＤＣＩを適用して前記ＳＣｅｌｌを制御する、
請求項１７ないし２０のいずれか一項に記載のセカンダリセル（ＳＣｅｌｌ）を制御するネットワークノード。
【請求項２２】
前記トランシーバが前記ＭＡＣ  ＣＥを送信する場合、前記プロセッサは、前記ＭＡＣ  ＣＥを適用して前記ＳＣｅｌｌを制御する、
請求項１７ないし２０のいずれか一項に記載のセカンダリセル（ＳＣｅｌｌ）を制御するネットワークノード。
【請求項２３】
前記トランシーバが前記ＭＡＣ  ＣＥおよび前記ＤＣＩを順次に送信する場合、前記プロセッサは、前記ＭＡＣ  ＣＥおよび前記ＤＣＩを順次に適用して前記ＳＣｅｌｌを制御する、
請求項１７ないし２０のいずれか一項に記載のセカンダリセル（ＳＣｅｌｌ）を制御するネットワークノード。
【請求項２４】
前記トランシーバが前記ＤＣＩおよび前記ＭＡＣ  ＣＥを順次に送信する場合、前記プロセッサは、前記ＤＣＩおよび前記ＭＡＣ  ＣＥを順次に適用して前記ＳＣｅｌｌを制御する、
請求項１７ないし２０のいずれか一項に記載のセカンダリセル（ＳＣｅｌｌ）を制御するネットワークノード。
【請求項２５】
前記ＳＣｅｌｌを制御することは、前記ＳＣｅｌｌを活性化および／または非活性化することを含む、
請求項１７ないし２４のいずれか一項に記載のセカンダリセル（ＳＣｅｌｌ）を制御するネットワークノード。
【請求項２６】
前記プロセッサは、前記ＳＣｅｌｌを活性化または非活性化するように構成される、
請求項１７ないし２５のいずれか一項に記載のセカンダリセル（ＳＣｅｌｌ）を制御するネットワークノード。
【請求項２７】
セカンダリセル（ＳＣｅｌｌ）を制御する方法であって、
ユーザ機器にダウンリック制御情報（ＤＣＩ）およびメディアアクセス制御（ＭＡＣ）制御要素（ＣＥ）のうちの１つを送信することであって、送信される前記ＤＣＩおよびＭＡＣ  ＣＥのうちの１つは、ＳＣｅｌｌに対する制御を指示することと、および
前記ユーザ機器に前記ＤＣＩおよび前記ＭＡＣ  ＣＥのうちの別の１つを送信することを禁止することとを含む、前記セカンダリセル（ＳＣｅｌｌ）を制御する方法。
【請求項２８】
前記ユーザ機器に前記ＤＣＩおよび前記ＭＡＣ  ＣＥのうちの別の１つを送信することを禁止することは、
前記ＤＣＩおよびＭＡＣ  ＣＥのうちの１つを送信する時点から前記ＤＣＩおよびＭＡＣ  ＣＥのうちの１つが有効になる時点までの間で、前記ユーザ機器に前記ＤＣＩおよび前記ＭＡＣ  ＣＥのうちの別の１つを送信することを禁止することを含む、
請求項２７に記載のセカンダリセル（ＳＣｅｌｌ）を制御する方法。
【請求項２９】
送信される前記ＤＣＩおよびＭＡＣ  ＣＥのうちの１つに従って少なくとも１つの前記ＳＣｅｌｌを制御することをさらに含む、
請求項２７または２８に記載のセカンダリセル（ＳＣｅｌｌ）を制御する方法。
【請求項３０】
無線リソース制御（ＲＲＣ）メッセージを使用することをさらに含み、前記メッセージは、前記ＤＣＩおよび前記ＭＡＣ  ＣＥのうちの１つが前記ＳＣｅｌｌを制御するために適用されることを指示する、
請求項２７ないし２９のいずれか一項に記載のセカンダリセル（ＳＣｅｌｌ）を制御する方法。
【請求項３１】
前記ＤＣＩを送信して適用して前記ＳＣｅｌｌを制御することをさらに含む、
請求項２７ないし３０のいずれか一項に記載のセカンダリセル（ＳＣｅｌｌ）を制御する方法。
【請求項３２】
前記ＭＡＣ  ＣＥを送信して適用して前記ＳＣｅｌｌを制御することをさらに含む、
請求項２７ないし３０のいずれか一項に記載のセカンダリセル（ＳＣｅｌｌ）を制御する方法。
【請求項３３】
前記ＭＡＣ  ＣＥおよび前記ＤＣＩを順次に送信して適用して前記ＳＣｅｌｌを制御することをさらに含む、
請求項２７ないし３０のいずれか一項に記載のセカンダリセル（ＳＣｅｌｌ）を制御する方法。
【請求項３４】
前記ＤＣＩおよび前記ＭＡＣ  ＣＥを順次に送信して適用して前記ＳＣｅｌｌを制御することをさらに含む、
請求項２７ないし３０のいずれか一項に記載のセカンダリセル（ＳＣｅｌｌ）を制御する方法。
【請求項３５】
前記少なくとも１つのＳＣｅｌｌを制御することは、前記ＳＣｅｌｌを活性化および／または非活性化することを含む、
請求項２７ないし３４のいずれか一項に記載のセカンダリセル（ＳＣｅｌｌ）を制御する方法。
【請求項３６】
前記少なくとも１つのＳＣｅｌｌを活性化または非活性化することをさらに含む、
請求項２７ないし３５のいずれか一項に記載のセカンダリセル（ＳＣｅｌｌ）を制御する方法。
【請求項３７】
非一時的な機械読み取り可能な記憶媒体であって、
命令が記憶され、前記命令がコンピュータによって実行されるときに、前記コンピュータが請求項９ないし１６のいずれか一項に記載の方法および請求項２７ないし３６のいずれか一項に記載の方法を実行するようにする、前記非一時的な機械読み取り可能な記憶媒体。
【請求項３８】
端末機器であって、
プロセッサおよびメモリを含み、前記メモリは、コンピュータプログラムを記憶するように構成され、前記プロセッサは、請求項９ないし１６のいずれか一項に記載の方法を実行するために、前記メモリに記憶されたコンピュータプログラムを実行するように構成される、前記端末機器。
【請求項３９】
ネットワークノードであって、
プロセッサおよびメモリを含み、前記メモリは、コンピュータプログラムを記憶するように構成され、前記プロセッサは、請求項２７ないし３６のいずれか一項に記載の方法を実行するために、前記メモリに記憶されたコンピュータプログラムを実行するように構成される、前記ネットワークノード。
【発明の詳細な説明】
【技術分野】
【０００１】
本開示は、通信システム分野に関し、特に、セカンダリセル（ＳＣｅｌｌ）を制御する方法および装置に関する。
【背景技術】
【０００２】
ロングタームエボリューション（ＬＴＥ）システムでは、メディアアクセス制御（ＭＡＣ）エンティティが１つまたは複数のセカンダリセル（ＳＣｅｌｌ）で構成された場合、ネットワークは、１つまたは複数の構成されたＳＣｅｌｌを活性化および非活性化することができる。プライマリセル（ＰＣｅｌｌ）およびプライマリセカンダリセル（ＰＳＣｅｌｌ）に適用されるスペシャルセル（ＳｐＣｅｌｌ）は常に活性化される。ネットワークは、活性化／非活性化ＭＡＣ制御要素（ＣＥ）を送信することによってＳＣｅｌｌを活性化および非活性化する。
【０００３】
ＲＡＮ２＃９９ｂｉｓ会議では、第３世代パートナーシッププロジェクト（３ＧＰＰ）ワーキンググループのうちの１つである無線アクセスネットワーク技術仕様グループワーキンググループ２（ＴＳＧ−ＲＡＮ  ＷＧ２）は、ニューラジオ（ＮＲ）システムでＭＡＣ  ＣＥを使用してＳＣｅｌｌを活性化または非活性化することに同意し、これはロングタームエボリューション（ＬＴＥ）システムのベースラインである。
【０００４】
セカンダリセル（ＳＣｅｌｌ）を制御する新しい技術的解決策を提供する必要がある。
【発明の概要】
【発明が解決しようとする課題】
【０００５】
本開示の目的は、セカンダリセル（ＳＣｅｌｌ）を制御する方法および装置を提案することである。
【課題を解決するための手段】
【０００６】
本開示の第１の態様において、セカンダリセル（ＳＣｅｌｌ）を制御するユーザ機器は、メモリ、トランシーバおよび前記メモリとトランシーバに結合されたプロセッサを含む。前記プロセッサは、ネットワークノードからダウンリック制御情報（ＤＣＩ）およびメディアアクセス制御（ＭＡＣ）制御要素（ＣＥ）のうちの少なくとも１つを受信するようにトランシーバを制御するように構成され、ここで、ＤＣＩおよびＭＡＣ  ＣＥのうちの少なくとも１つはＳＣｅｌｌに対する制御を指示し、前記プロセッサは、ＤＣＩおよびＭＡＣ  ＣＥのうちの少なくとも１つを適用するか無視するかを決定し、および前記決定に従ってＳＣｅｌｌを制御するように構成される。
【０００７】
本開示の第２の態様において、ユーザ機器がセカンダリセル（ＳＣｅｌｌ）を制御する方法は、ネットワークノードからダウンリック制御情報（ＤＣＩ）およびメディアアクセス制御（ＭＡＣ）制御要素（ＣＥ）のうちの少なくとも１つを受信することであって、ＤＣＩおよびＭＡＣ  ＣＥのうちの少なくとも１つはＳＣｅｌｌに対する制御を指示することを含み、前記方法は、ＤＣＩおよびＭＡＣ  ＣＥのうちの少なくとも１つを適用するか無視するかを決定することと、および前記決定に従ってＳＣｅｌｌを制御することとを含む。
【０００８】
本開示の第３の態様において、セカンダリセル（ＳＣｅｌｌ）を制御するネットワークノードは、メモリ、トランシーバおよび前記メモリとトランシーバに結合されたプロセッサを含む。前記プロセッサは、ユーザ機器にダウンリック制御情報（ＤＣＩ）およびメディアアクセス制御（ＭＡＣ）制御要素（ＣＥ）のうちの１つを送信するようにトランシーバを制御するように構成され、ここで、送信されるＤＣＩおよびＭＡＣ  ＣＥのうちの１つはＳＣｅｌｌに対する制御を指示し、さらに前記プロセッサは、ユーザ機器にＤＣＩおよびＭＡＣ  ＣＥのうちの別の１つを送信しないようにトランシーバを制御するように構成される。
【０００９】
本開示の第４の態様において、ネットワークノードがセカンダリセル（ＳＣｅｌｌ）を制御する方法は、ユーザ機器にダウンリック制御情報（ＤＣＩ）およびメディアアクセス制御（ＭＡＣ）制御要素（ＣＥ）のうちの１つを送信することであって、送信されるＤＣＩおよびＭＡＣ  ＣＥのうちの１つはＳＣｅｌｌに対する制御を指示することと、且つユーザ機器にＤＣＩおよびＭＡＣ  ＣＥのうちの別の１つを送信することを禁止することとを含む。
【００１０】
本開示の第５の態様において、非一時的な機械読み取り可能な記憶媒体であって、命令が記憶され、これらの命令がコンピュータによって実行されるときに、コンピュータが前記方法を実行するようにする。
【００１１】
本開示の第６の態様において、端末機器は、プロセッサおよびコンピュータプログラムを記憶するように構成されるメモリを含む。前記プロセッサは、前記方法を実行するために、メモリに記憶されたコンピュータプログラムを実行するように構成される。
【００１２】
本開示の第７の態様において、ネットワークノードは、プロセッサおよびコンピュータプログラムを記憶するように構成されるメモリを含む。前記プロセッサは、前記方法を実行するために、メモリに記憶されたコンピュータプログラムを実行するように構成される。
【図面の簡単な説明】
【００１３】
本開示または関連技術の実施例をより明確に説明するために、以下、実施例で説明する図面を簡略的に紹介する。明らかなことは、これらの図面は、本開示のいくつかの実施例に過ぎず、当業者は創造的な努力なしに、これらの図面に従って他の図面を取得することができる。
【図１】本開示の実施例に係るセカンダリセル（ＳＣｅｌｌ）を制御するユーザ機器およびネットワークノードのブロック図である。
【図２】本開示の実施例に係るユーザ機器のＳＣｅｌｌを制御する方法のフローチャートを示す。
【図３】本開示の実施例に係るネットワークノードのＳＣｅｌｌを制御する方法のフローチャートを示す。
【図４】本開示の実施例に係るユーザ機器とネットワークノードとの間のＳＣｅｌｌの制御の概略図を示す。
【図５】本開示の実施例に係る無線通信用のシステムのブロック図である。
【発明を実施するための形態】
【００１４】
以下、図面を参照して、技術的課題、構造的特徴、達成された目的および効果を組み合わせて、本開示の実施例を詳細に説明する。特に、本開示の実施例における用語は、特定の実施例の目的を説明するためにのみ使用され、本開示を限定するために使用されるものではない。
【００１５】
本開示のいくつかの実施例において、セカンダリセル（ＳＣｅｌｌ）を制御する方法および装置を提供する。ＲＡＮ１は、ＳＣｅｌｌを活性化および非活性化するために、ダウンリック制御情報（ＤＣＩ）を導入するかどうかについて議論中である。ＲＡＮ１が最終的にＤＣＩを使用して、構成されたＳＣｅｌｌを活性化または非活性化することを同意する場合、シグナリングのあいまいな問題が存在する可能性がある。例えば、ユーザ機器がＭＡＣ  ＣＥの活性化およびＤＣＩの非活性化を同時に受信すると、どの挙動があるかなどの問題である。ユーザ機器がＭＡＣ  ＣＥの活性化およびＤＣＩの非活性化を同時に受信したときのあいまいな問題を解決するために、セカンダリセル（ＳＣｅｌｌ）を制御するための新しい技術的解決策を提供する必要がある。
【００１６】
図１は、本開示の実施例に係るいくつかの実施例のセカンダリセル（ＳＣｅｌｌ）を制御するユーザ機器（ＵＥ）１０およびネットワークノード２０を示す。ＵＥ１０は、プロセッサ１１、メモリ１２およびトランシーバ１３を含み得る。ネットワークノード２０は、プロセッサ２１、メモリ２２およびトランシーバ２３を含み得る。プロセッサ１１または２１は、本明細書での説明で提案された機能、プログラムおよび／または方法を実現するように構成されることができる。プロセッサ１１または２１で無線インターフェースプロトコル層を実現することができる。メモリ１２または２２は、プロセッサ１１または２１に操作可能に結合され、プロセッサ１１または２１を操作するために、様々な情報を記憶する。トランシーバ１３または２３は、プロセッサ１１または２１に操作可能に結合され、無線信号をを送信および／または受信する。
【００１７】
プロセッサ１１または２１は、特定用途向け集積回路（ＡＳＩＣ）、他のチップセット、論理回路および／またはデータ処理装置を含み得る。メモリ１２または２２は、読み取り専用メモリ（ＲＯＭ）、ランダムアクセスメモリ（ＲＡＭ）、フラッシュメモリ、メモリカード、記憶媒体および／または他の記憶装置を含み得る。トランシーバ１３または２３は、無線周波数信号を処理するように構成されるベースバンド回路を含み得る。実施例がソフトウェアによって実現される場合、本明細書に説明された機能のモジュール（プログラム、機能など）を実行して本明細書で説明する技術を実施することができる。これらのモジュールは、メモリ１２または２２に記憶され、さらにプロセッサ１１または２１によって実行されることができる。メモリ１２または２２は、プロセッサ１１または２１内で実現されるか、プロセッサ１１または２１の外部で実現されることができ、この場合、本分野で知られている様々な方式を通じて、メモリをプロセッサ１１または２１に通信的に結合することができる。
【００１８】
第３世代パートナーシッププロジェクト（３ＧＰＰ）ニューラジオ（ＮＲ）バージョン１６（Ｒｅｌｅａｓｅ１６）およびより高いバージョンによって開発されたサイドリンク（ｓｉｄｅｌｉｎｋ）技術に従って、ＵＥ間の通信は、車両間（Ｖ２Ｖ）、車両対歩行者（Ｖ２Ｐ）および車両対インフラ／ネットワーク（Ｖ２Ｉ／Ｎ）を含む車両対任意の機器（Ｖ２Ｘ）の通信に関する。ＵＥ間は、直接に、ＰＣ５インターフェースなどのサイドリンクインターフェースを介して互いに通信する。
【００１９】
いくつかの実施例において、プロセッサ１１は、ネットワークノード２０からダウンリック制御情報（ＤＣＩ）およびメディアアクセス制御（ＭＡＣ）制御要素（ＣＥ）のうちの少なくとも１つを受信するようにトランシーバ１３を制御するように構成される。前記ＤＣＩおよびＭＡＣ  ＣＥのうちの少なくとも１つはＳＣｅｌｌに対する制御を指示する。プロセッサ１１は、ＤＣＩおよびＭＡＣ  ＣＥのうちの少なくとも１つを適用するか無視するかを決定し、前記決定に従って少なくとも１つのＳＣｅｌｌを制御するように構成される。
【００２０】
いくつかの実施例において、プロセッサ２１は、トランシーバ２３がユーザ機器１０にダウンリック制御情報（ＤＣＩ）およびメディアアクセス制御（ＭＡＣ）制御要素（ＣＥ）のうちの１つを送信し、ここで、送信されるＤＣＩおよびＭＡＣ  ＣＥのうちの１つはＳＣｅｌｌに対する制御を指示し、さらにユーザ機器１０にＤＣＩおよびＭＡＣ  ＣＥのうちの別の１つを送信しないようにトランシーバ２３を制御するように構成される。いくつかの実施例において、ユーザ機器１０にＤＣＩおよびＭＡＣ  ＣＥのうちの別の１つを送信しないようにトランシーバ２３を制御することは、ＤＣＩおよびＭＡＣ  ＣＥのうちの１つを送信する時点からＤＣＩおよびＭＡＣ  ＣＥのうちの１つが有効になる時点までの間で、ユーザ機器１０にＤＣＩおよびＭＡＣ  ＣＥのうちの別の１つを送信しないようにトランシーバ２３を制御することを含む。
【００２１】
図２は、本開示の実施例に係るユーザ機器１０のＳＣｅｌｌを制御する方法２００を示す。方法２００は、次のステップを含む。ブロック２０２において、ネットワークノード２０からダウンリック制御情報（ＤＣＩ）およびメディアアクセス制御（ＭＡＣ）制御要素（ＣＥ）のうちの少なくとも１つを受信し、ここで、ＤＣＩおよびＭＡＣ  ＣＥのうちの少なくとも１つはＳＣｅｌｌに対する制御を指示する。ブロック２０４において、ＤＣＩおよびＭＡＣ  ＣＥのうちの少なくとも１つを適用するか無視するかを決定する。ブロック２０６において、前記決定に従ってＳＣｅｌｌを制御する。
【００２２】
図３は、本開示の実施例に係るネットワークノード２０のＳＣｅｌｌを制御する方法３００を示す。方法３００は、次のステップを含む。ブロック３０２において、ユーザ機器１０にダウンリック制御情報（ＤＣＩ）およびメディアアクセス制御（ＭＡＣ）制御要素（ＣＥ）のうちの１つを送信し、ここで、送信されるＤＣＩおよびＭＡＣ  ＣＥのうちの１つはＳＣｅｌｌに対する制御を指示する。ブロック３０４において、ユーザ機器１０にＤＣＩおよびＭＡＣ  ＣＥのうちの別の１つを送信することを禁止する。いくつかの実施例において、ユーザ機器１０にＤＣＩおよびＭＡＣ  ＣＥのうちの別の１つを送信することを禁止する操作は、ＤＣＩおよびＭＡＣ  ＣＥのうちの１つを送信する時点からＤＣＩおよびＭＡＣ  ＣＥのうちの１つが有効になる時点までの間で、ユーザ機器１０にＤＣＩおよびＭＡＣ  ＣＥのうちの別の１つを送信することを禁止することを含む。
【００２３】
図４は、いくつかの実施例において、本開示の実施例に係るユーザ機器１０とネットワークノード２０との間のＳＣｅｌｌ  ３０に対する制御を提供する。ユーザ機器１０は、ネットワークノード２０によって管理される複数のセルと通信することができ、異なる周波数で動作することができる。伝送帯域幅を増加するために、１つのユーザは複数のセルでサービスすることができ、これらのセルは、ネットワークノード２０により覆られることができる。これらのセルは、プライマリセル（ＰＣｅｌｌ）４０およびＳＣｅｌｌ３０を含む。ＰＣｅｌｌ４０は、サービングセルであってもよく、アクティブ状態であり得る。ハンドオーバプロセスを通じてＰＣｅｌｌ４０をハンドオーバすることができる。ユーザ機器１０は、ＰＣｅｌｌ４０で非アクセス層（ＮＡＳ）情報を送受信し、ＰＣｅｌｌ４０で物理アップリンク制御チャネル（ＰＵＣＣＨ）を送信する。
【００２４】
図１および図４は、いくつかの実施例において、トランシーバ１３がＤＣＩおよびＭＡＣ  ＣＥを受信した場合、プロセッサ１１は、ＤＣＩおよびＭＡＣ  ＣＥのうちの１つを無視することを示す。プロセッサ１１が、前記決定に従ってＳＣｅｌｌ３０を制御することは、プロセッサ１１がＤＣＩおよびＭＡＣ  ＣＥのうちの別の１つを適用してＳＣｅｌｌ３０を制御することを含む。
【００２５】
いくつかの実施例において、トランシーバ１３がＤＣＩを受信した場合、プロセッサ１１が、前記決定に従ってＳＣｅｌｌ３０を制御することは、プロセッサ１１がＤＣＩを適用してＳＣｅｌｌ３０を制御することを含む。トランシーバ１３がＭＡＣ  ＣＥおよびＤＣＩを順次に受信し、ＭＡＣ  ＣＥおよびＤＣＩの両方とも適用されると決定した場合、プロセッサ１１が前記決定に従ってＳＣｅｌｌ３０を制御することは、プロセッサ１１がＭＡＣ  ＣＥおよびＤＣＩを順次に受信してＳＣｅｌｌ３０を制御することを含む。トランシーバ１３がＤＣＩおよびＭＡＣ  ＣＥを順次に受信し、ＭＡＣ  ＣＥおよびＤＣＩの両方とも適用されると決定した場合、プロセッサ１１が前記決定に従ってＳＣｅｌｌ３０を制御することは、プロセッサ１１がＤＣＩおよびＭＡＣ  ＣＥを順次に適用してＳＣｅｌｌ３０を制御することを含む。
【００２６】
なお、いくつかの実施例において、トランシーバ１３は、無線リソース制御（ＲＲＣ）メッセージを受信するように構成され、前記メッセージは、ＳＣｅｌｌ３０を制御するために、ＤＣＩおよびＭＡＣ  ＣＥのうちの１つがプロセッサ１１によって適用されるように指示する。具体的に、いくつかの実施例において、ＤＣＩおよびＭＡＣ  ＣＥのうちの少なくとも１つがＳＣｅｌｌ３０に対する制御を指示することは、ＤＣＩおよびＭＡＣ  ＣＥのうちの少なくとも１つが、ＳＣｅｌｌ３０の活性化または非活性化を指示することを含む。プロセッサ１１は、ＳＣｅｌｌ３０を活性化または非活性化するように構成される。
【００２７】
図１および図４は、さらに、いくつかの実施例において、プロセッサ２１が、送信されるＤＣＩおよびＭＡＣ  ＣＥのうちの１つに従ってＳＣｅｌｌ３０を制御するように構成されることを示す。これらの２つのアプローチのうちの１つのみを使用する場合、あいまいな問題は存在しない。
【００２８】
なお、いくつかの実施例において、プロセッサ２１は、無線リソース制御（ＲＲＣ）メッセージを送信するようにトランシーバ２３を制御するように構成され、前記メッセージは、ＤＣＩおよびＭＡＣ  ＣＥのうちの１つがＳＣｅｌｌを制御することに適用されるように指示する。いくつかの実施例において、プロセッサ２１は、ＲＲＣを介して再構成されるかＲＲＣメッセージが構成するように構成される。前記構成は、各ユーザ機器、各セルグループまたは１つのセルグループの各セルに対するものであり得る。
【００２９】
具体的に、いくつかの実施例において、トランシーバ２３がＤＣＩを送信する場合、プロセッサ２１はＤＣＩを適用してＳＣｅｌｌ３０を制御する。トランシーバ２３がＭＡＣ  ＣＥを送信する場合、プロセッサ２１はＭＡＣ  ＣＥを適用してＳＣｅｌｌ３０を制御する。トランシーバ２３がＭＡＣ  ＣＥおよびＤＣＩを順次に送信する場合、プロセッサ２１はＭＡＣ  ＣＥおよびＤＣＩを順次に適用してＳＣｅｌｌ３０を制御する。トランシーバ２３がＤＣＩおよびＭＡＣ  ＣＥを順次に送信する場合、プロセッサ２１ＤＣＩおよびＭＡＣ  ＣＥを順次に適用してＳＣｅｌｌ３０を制御する。
【００３０】
いくつかの実施例において、少なくとも１つのＳＣｅｌｌ  ３０に対する制御は、ＳＣｅｌｌ３０を活性化および／または非活性化することを含む。プロセッサ２１は、ＳＣｅｌｌ３０を活性化または非活性化するように構成される。
【００３１】
図５は、本開示の実施例に係る無線通信用の例示的なシステム７００のブロック図である。本明細書で説明される実施例を、任意の適切に構成されたハードウェアおよび／またはソフトウェアを使用するシステムで実現させることができる。図５はシステム７００を示し、前記システムは、少なくとも図に示されたお互いに結合される無線周波数（ＲＦ）回路７１０、ベースバンド回路７２０、アプリケーション回路７３０、メモリ／ストレージ７４０、ディスプレイ７５０、カメラ７６０、センサ７７０および入力／出力（Ｉ／Ｏ）インターフェース７８０を含む。
【００３２】
アプリケーション回路７３０は、１つまたは複数のシングルコアまたはマルチコアプロセッサなどの回路を含むことができるが、これらに限定されない。プロセッサは、汎用プロセッサおよび専用プロセッサ（グラフィックプロセッサ、応用プロセッサなど）の任意の組み合せを含むことができる。プロセッサは、メモリ／ストレージに結合されることができ、メモリ／ストレージの命令を記憶して、様々なアプリケーションおよび／またはオペレーティングシステムをシステムで実行することができるように構成される。
【００３３】
ベースバンド回路７２０は、１つまたは複数のシングルコアまたはマルチコアプロセッサなどの回路を含むことができるが、これらに限定されない。プロセッサは、ベースバンドプロセッサを含むことができる。ベースバンド回路は、無線制御機能を処理して、ＲＦ回路を介して１つまたは複数の無線ネットワークと通信可能ににすることができる。無線制御機能は、信号変調、エンコード、デコード、無線周波数シフトなどを含むが、これらに限定されない。いくつかの実施例において、ベースバンド回路は、１つまたは複数の無線技術と互換性のある通信を提供することができる。例えば、いくつかの実施例において、ベースバンド回路は、進化の汎用陸上無線アクセスネットワーク（ＥＵＴＲＡＮ）および／または他のワイヤレスメトロポリタンエリアネットワーク（ＷＭＡＮ）、ワイヤレスローカルエリアネットワーク（ＷＬＡＮ）、ワイヤレスパーソナルエリアネットワーク（ＷＰＡＮ）との通信をサポートすることができる。実施例において、１つのタイプ以上のワイヤレスプロトコルの無線通信をサポートするように構成されたベースバンド回路は、マルチモードベースバンド回路と称されることができる。
【００３４】
各実施例において、ベースバンド回路７２０は、厳密な意味でベースバンド周波数にあると見なされない信号を使用して動作する回路を含むことができる。例えば、いくつかの実施例において、ベースバンド回路は、ベースバンド周波数と無線周波数の間にある中間周波数の信号を使用して操作する回路を含むことができる。
【００３５】
ＲＦ回路７１０は、非固体媒体を介して、変調された電磁放射を使用して、無線ネットワークと通信することができる。様々な実施例において、無線ネットワークとの通信するために、ＲＦ回路は、スイッチ、フィルタ、増幅器などを含むことができる。
【００３６】
様々な実施例において、ＲＦ回路７１０は、厳密な意味で無線周波数にあると見なされない信号を使用して動作する回路を含むことができる。例えば、いくつかの実施例において、ＲＦ回路は、ベースバンド周波数と無線周波数の間にある中間周波数の信号を使用して動作する回路を含むことができる。
【００３７】
各実施例において、ユーザ装置、ｅＮＢまたはｇＮＢに関して上記で説明した送信機回路、制御回路または受信機回路は、１つまたは複数のＲＦ回路、ベースバンド回路および／またはアプリケーション回路で完全にまたは部分的に実施されることができる。本明細書で使用される場合、「回路」は、特定用途向け集積回路（ＡＳＩＣ）、電子回路、１つまたは複数のソフトウェアまたはファームウェアプログラムを実行するプロセッサ（共有、専用またはグループの）および／またはメモリ（共有、専用またはグループの）、論理回路および／または説明された機能を提供する他の適切なハードウェアコンポーネント、または上記の部品の一部を含むことができる。いくつかの実施例において、電子装置回路は、１つまたは複数のソフトウェアまたはファームウェアモジュールによって実現されることができ、または回路に関する機能は、１つまたは複数のソフトウェアまたはファームウェアモジュールによって実現されることができる。
【００３８】
いくつかの実施例において、ベースバンド回路、アプリケーション回路および／またはメモリ／ストレージの一部または全ての構成要素は、システムオンチップ（ＳＯＣ）上で実現することができる。
【００３９】
メモリ／ストレージ７４０は、システムのためのデータおよび／または命令などの読み込み、および記憶するように構成されることができる。一実施例のメモリ／ストレージは、適切な揮発性メモリ（ダイナミックランダムアクセスメモリ（ＤＲＡＭ）など）および／または非揮発性メモリ（フラッシュメモリなど）の任意の組み合わせを含むことができる。
【００４０】
様々な実施例において、Ｉ／Ｏインターフェース７８０は、ユーザとシステムとの相互作用を可能にするように設計された１つまたは複数のユーザインターフェースおよび／または周辺部品とシステムとの相互作用を可能にするように設計された周辺コンポーネントインターフェースを含むことができる。ユーザインターフェースは、物理的なキーボードまたはキーパット、タッチパッド、スピーカ、マイクなどを含むことができるが、これらに限定されない。周辺部品インターフェースは、非揮発性メモリポート、汎用シリアルバス（ＵＳＢ）ポート、オーディオジャックおよび電源インターフェースを含むことができるが、これらに限定されない。
【００４１】
各実施例において、センサ７７０は、システムに関する環境条件および／または位置情報を決定するために、１つまたは複数のセンシング機器を含むことができる。いくつかの実施例において、センサは、ジャイロセンサ、加速度計、接近センサ、環境光センサおよびポジショニングユニットを含むことができるが、これらに限定されない。ポジショニングユニットは、さらに、ポジショニングネットワークの部品（グローバルポジショニングシステム（ＧＰＳ：ｇｌｏｂａｌ  ｐｏｓｉｔｉｏｎｉｎｇ  ｓｙｓｔｅｍ）衛星など）と通信するために、ベースバンド回路および／またはＲＦ回路の一部、またはそれらの相互作用であり得る。
【００４２】
各実施例において、ディスプレイ７５０は、液晶ディスプレイおよびタッチスクリーンディスプレイなどのディスプレイを含むことができる。各実施例において、システム７００は、ラップトップ型コンピューティング機器、タブレットコンピューティング機器、ネットブック、ウルトラブック、スマートフォンなどのモバイルコンピューティング機器であり得るが、これらに限定されない。各実施例において、システムは、より多い、またはより少ないコンポーネントおよび／または異なるアーキテクチャを有することができる。適切な場合、本開示で説明される方法は、コンピュータプログラムとして実現されることができる。前記コンピュータプログラムは、非一時的記憶媒体などの記憶媒体に記憶されてもよい。
【００４３】
本開示の実施例において、ニューラジオキャリアアグリゲーションのセル（ＳＣｅｌｌ）を制御する方法および装置を提供する。本開示の実施例は、最終製品を作成するために、３ＧＰＰ仕様で採用することができる技術／プロセスの組み合わせである。
【００４４】
当業者は、電子ハードウェア、またはコンピュータ用のソフトウェアおよび電子ハードウェアの組み合せを使用して、本開示の実施例で説明および開示されたユニット、アルゴリズムおよびステップを実現することを理解されたい。これらの機能がハードウェアで実行されるかソフトウェアで実行されるかは、技術的解決策の特定の応用および設計の条件に依存する。
【００４５】
当業者は、異なる方式を使用して各特定応用の機能を実現することができ、同時に、このような実現は本開示の範囲を超えてはならない。当業者は、前記システム、装置およびユニットの作業プロセスはほぼ同じであり、彼／彼女は前記実施例におけるシステム、装置およびユニットの作業プロセスを参照することができることを理解されたい。説明の便宜上および簡潔のために、これらの作業プロセスは詳細に説明されない。
【００４６】
本開示の実施例で開示されたシステム、装置およびユニットは、他の方式を使用して実現することができることを理解されたい。前記実施例は例示的である。ユニットの分割は、単に論理機能の分割に基づき、実現中には他の分割も存在する。多数のユニットまたは部品は、別のシステムに組み合わせまたは統合されることができる。ある特性を省略またはスキップすることもできる。一方、表示または議論された相互結合または直接結合または通信結合は、いくつかのインターフェース、装置またはユニットを介した間接結合または通信接続であり得、電気的、機械的または他の形態であり得る。
【００４７】
前記個別の部品として説明されるユニットは、物理的に分離される場合とされない場合がある。ユニットとして表示される部品は、物理ユニットである場合とそうでない場合がある。即ち、ある場所に位置するか、または複数のネットワークユニットに分散されることもできる。ここでの一部または全てのユニットは、実施例の目的に従って使用される。なお、本出願の各実施例における各機能ユニットは１つの処理ユニットに統合されてもよく、または各ユニットが物理的に別々に存在してもよく、２つまたは２つ以上のユニットを１つの処理ユニットに統合してもよい。
【００４８】
前記機能がソフトウェア機能ユニットの形で実現され、独立した製品として販売または使用される場合、コンピュータ読み取り可能な記憶媒体に記憶することができる。このような理解に基づいて、本開示の技術的解決策は、本質的にまたは先行技術に対して寄与する部分または前記技術的解決策の一部は、ソフトウェア製品の形で具現されることができ、前記コンピュータソフトウェア製品は、１つの記憶媒体に記憶され、１台のコンピュータ機器（パーソナルコンピュータ、サーバ、またはネットワーク機器等であり得る）に本出願の各実施例に記載の方法の全部または一部のステップを実行させるためのいくつかの命令を含む。前述した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスク等のプログラムコードを記憶することができる様々な媒体を含む。
【００４９】
本開示は、最も実用的および好ましい実施例と考えられるものを組み合わせて説明したが、本開示は開示された実施例に限定されず、添付の特許請求の範囲の最も広い解釈の範囲から逸脱しない場合に実行された各配置をカバーすることを意図することを理解されたい。
【図１】
2021505050.tif 000003
【図２】
2021505050.tif 000004
【図３】
2021505050.tif 000005
【図４】
2021505050.tif 000006
【図５】
2021505050.tif 000007
【国際調査報告】
2021505050.tif 000008
2021505050.tif 000009